(57)【要約】【課題】従来技術として、操作のために握る把手の両端部を、直に刃体上面に取り付けた構成の鎌がある。しかし、作業時に出る地表土が、把手と刃体の取付部分に付着して固まりとなり、これが刃にまで達し、草の切除機能を低下させるので、その度毎にこれを取り除く作業が必要であった。また、希ではあるが、地表や草の中に存在する異物が把手を握る手に傷害を与える欠点があった。【解決手段】上記に鑑み、刃体と把手の間を空け、この下部に中空円筒を、その上部には保護カバーを配置して、これを刃体と把手と共に一体にボルト・ナットにより締着する。これにより、地表土や草の停滞がなくなり、また、中空円筒であることから、地表土の付着が少なく、たとえ、付着しても円筒効果で自然に剥離、脱落する。また、保護カバーは手の傷害を防止すると共に、心理的な安心感をも与えるものとなっている。【選択図】図１
2011000105.tif 000002
【特許請求の範囲】
【請求項１】
刃体の上面に把手の両端部を取り付けて成る草取鎌において、上記刃体と把手の間の上部に、前部を上方に湾曲した保護カバーを、その下部には外径が小さく任意な中空円筒を配置し、これを上記の刃体と把手と共に一体にしてボルト・ナットにより締着した構成の草取鎌。
【請求項２】
保護カバーと中空円筒を一体なものとした請求項１に記載の草取鎌。
【発明の詳細な説明】
【技術分野】
【０００１】  本発明は、操作の把手を直に刃体に取り付けて成る草取鎌において、更にその作業性と安全の確保を図った草取鎌に関する。
【背景技術】  従来は、草取りに用いる草取具として、柄を有する刃渡り１２ｃｍ程度の草取鎌（小鎌）が用いられていた。しかし近年、刃体に把手を直に取り付けた構成の草取鎌が公知となっている（例えば、特許文献１参照）。【０００２】  上記特許文献１では、溶接の外、ボルト・ナットにより、把手を刃体に直に取り付けた構成にしているので、柄を有する草取鎌（小鎌）に比べ、使用時の回転モーメントも少なく、また、草に対し刃を滑らせる用い方をするので、取り残しの少ない効率のよい作業ができるものとなっている。また、地表の凹凸や畝の谷の草に対しても、把手を持つ手の手首の向きを変えるだけで、楽に対応ができるものとなっている。【０００３】
【特許文献】  特許第３７８５６０６号公報
【発明の開示】
【発明が解決しようとする課題】
【０００４】  しかし、上記特許文献１の草取鎌では使用時に、刃体と把手の締着部に削がれた地表土が固まりとなって付着し、草の切除機能を低下させる欠点があった。従って、その度毎にこれを除去する作業が必要となっていた。【０００５】  また、希ではあるが、所により地表や草の中に異物（過年の植物体の固い屑，刺のある植物体，小石，過去の栽培機材の屑等）が存在するので、これらから把手を握る手を守る手段が必要であった。
【課題を解決するための手段】
【０００６】  刃体と把手をボルト・ナットにより２点で締結して成る草取鎌における上記課題の解決のために、本発明では、ボルトを後述の中空円筒の長さと保護カバーの厚さの合計分だけ長くし、これによって生じる刃体と把手の間のその下部に中空円筒を、その上部には保護カバーを配置して、刃体・把手と共にボルト・ナットにより一体に締着した構成の草取鎌にする。【０００７】  また、本発明では、上記の保護カバーと中空円筒とを成型又は取り付け機構を設けた取り付けにより、一体な構成にすることも可とする。【０００８】  なお、上記草取鎌は、刃体，把手，保護カバー等の形状は任意であり、また、右利き用と左利き用の２形態に構成して実施する。【０００９】  上記中空円筒は、その大きさは任意であるが、ここではその外径を０．８〜１．５ｃｍ程度、高さ（長さ）は１．５〜３ｃｍ程度のものとし、中空部分は上記のボルトの挿通を可能とする内径にする。また、保護カバーは、板状体で構成し、その前部を上方に湾曲させ、後部には上記のボルトを通す軸孔を２カ所形成する。【００１０】  本発明の使用（操作）は、前述の特許文献１の発明と同様であるが、本発明では、中空円筒がつくる間隙を刃体と保護カバーの間に獲得し、また、把手の下部に保護カバーを位置づけ、また、保護カバーの前部を上方に湾曲させたことにより、特許文献１の課題解決を図る。
【発明の効果】
【００１１】  上記の構成である本発明は、中空円筒であることとその太さから削り取られた地表土の付着が少なく、また付着しても自然に剥がれ落ちるので、従来、度々行わなければならない付着土の除去が不要となり、また、刃の近くまで付着土で覆われることがなくなり、草の切除機能が高まり、作業性が向上する利点がある。また、その上、中空円筒を設けることにより、刃体と保護カバーの間に、従来のものにはない大きな間隙ができるので、削り取られた地表土や切除された草の一部が、この間隙を通過し、刃体やその付近に付着したり、溜まったりしない効果が生じる。【００１２】  また、中空円筒と把手間に配設の保護カバーは、作業時において、草の中に隠れた異物等から把手を握る手を守る役目を負うものであり、特に、その前方を上方に湾曲させて構成していることは、手の保護機能を高める大きな効果となっている。また、保護カバーは使用者に心理的な安心感を与える効果も大きい。【００１３】  本発明は、保護カバーと中空円筒の一体化を図ることにより、組み立て・解体における各部材の個々の揺動を抑え、刃体の交換等が煩労なくスムーズにできる利点が生まれる。
【発明を実施するための最良の形態】
【００１４】  以下、本発明の実施の形態を図１と図２に基づいて説明する。本発明には、基本特許としての前述「特許文献１」があるが、説明上、その構成についても図２により説明する。【００１５】  図２における２１は、使用時に若干地表面を削ぎながら草を根元から切り取る刃体で、２２はその刃である。また、刃体２１には、その周縁に設けた溝孔２４ａ，２４ｂを介して把手２５が取り付けられているが、ここではボルト・ナットを用いて締着している場合を例に図示している。把手２５の中央部はこれを握るためのところで、曲折により両端部より高く構成している。また、ボルト２３は、刃体２１、把手２５端部、ナット２６等の厚さの合計を若干上回る長さにする。そして、ボルト２３・ナット２６の締緩により、刃体２１の着脱（交換）が容易にできるものにしている。【００１６】  上記を踏まえ、次に、本発明の実施の形態を右利き用を示す図１に基づいて説明する。本発明は、前述特許文献１の発明の改良に係わるものであるが、本発明を構成するボルト３は、後記のように長く構成して、このボルト３を介して刃体１と把手２の間を空け、この間の下部（刃体側）には中空円筒４を、その上部（把手側）には保護カバー５を配設して、これを刃体１と把手２と一体に、上記ボルト３と対応のナット６により締着する。なお、ボルト３は刃体１，中空円筒４，保護カバー５，把手２，ナット６等の厚さ（高さ）の合計を若干上回る長さに構成する。ナット６は、蝶ナットがのぞましい。【００１７】  中空円筒４は、ボルト３が挿通できる中空部１１を有する外径０．８〜１．５ｃｍ程度、長さ（高さ）１．５〜３ｃｍ程度の細い円筒とし、その素材としては、耐久性等から金属であることがのぞましいが、合成樹脂で形成してもよい。【００１８】  保護カバー５は、その形状は任意であるが、板状で強靭性のある透明な合成樹脂がのぞましい。また、その前部は、上方に湾曲しているものとし、その後部には、ボルト３の挿通を可能とする軸孔１０ａ，１０ｂを形設した構成にする。【００１９】  また、図３で示す請求項２における保護カバーと中空円筒の一体化では、その素材として、透明で強靭な合成樹脂を用いて構成することがのぞましい。【００２０】  上記の構成である本発明の草取鎌は、利き手（腕）により、右利き用と左利き用の２形態となるが、これを用いるときは、利き手で把手２を握り、刃体１の刃７を地表面に接地させ、対峙する草に対し刃７を滑らすように利き手の前方より手前に、直状又は斜状あるいは弧状に動かし、また、若干地表面も削ぎながら、草を根元から切除する。この用い方（操作）は、特許文献１の場合と同様である。【００２１】  本実施の形態では、その外径を０．８〜１．５ｃｍ程度とし、高さを１．５〜３ｃｍ程度とする中空円筒４を、ボルトを介して刃体１の上部に位置させる。従って、刃体１と保護カバー５との間に、上下１．５〜３ｃｍ程度の間隙ができるので、作業時に削がれた地表土や切除された草等の付着や停滞が少なく、また付着しても、除去がしやすい利点がある。【００２２】  また、上記の中空円筒４は、外径を０．８〜１．５ｃｍ程度とする円筒にしているので、地表土が付着しにくく、また付着しても、円筒である効果で自然に剥離や脱落するので、作業中の付着土除去は不要となる。【００２３】  保護カバー５は、把手２を握る手の保護を目的とするものであるが、これにより、地表や草の中に存在する異物（例えば、石粒、固い植物体、金属屑など）による手の傷害が回避できることになる。また、保護カバー５の素材として、若干軟質な合成樹脂を採用すれば、保護カバー自体による傷害も生じることはない。【００２４】  図３で示すように、保護カバー５と中空円筒４を合成樹脂等の成型により、一体化することも有効で、これを用いることにより、刃体１の着脱（交換）における煩労が解消される。また、上記の一体化は、図では示していないが、保護カバー５の軸孔１０ａ，１０ｂに対応する下面に受部を設け、これに接着剤を介して中空円筒４を嵌着する方法を採ることもできる。【００２５】  本実施形態での保護カバー５は、使用時において、使用者に安心感を与える心理的効果は大きなものがある。
【図面の簡単な説明】
【００２６】
【図１】  本発明の実施形態を示す分解斜視図である。
【図２】  「特許文献１」の例を示す斜視図である。
【図３】  ａ  保護カバーと中空円筒を一体化した構成を示す斜視図  ｂ  図３ａの一部破断側面図
【符号の説明】
【００２７】    １，２１  刃体
２，２５  把手
３，２３  ボルト
４        中空円筒
５        保護カバー
６，２６  ナット
７，２２  刃
１０ａ，１０ｂ  軸孔
２４ａ，２４ｂ  溝孔
【図１】
2011000105.tif 000003
【図２】
2011000105.tif 000004
【図３】
2011000105.tif 000005